(57)【特許請求の範囲】
【請求項１】
移動体に搭載して使用する携帯電話機の電波品質監視装置において、
本体部と、
この本体部に接続される前記移動体の現在位置を検出する自動検出部と、
前記本体部に接続される少なくとも１以上の携帯電話機とで構成され、
前記本体部には、前記携帯電話機に接続するための少なくとも１以上の携帯電話用インターフェースと、
前記携帯電話機の電波品質を測定するために必要な測定条件として、自動測定を開始するための測定開始条件と、測定値を自動的に送信するための測定値送信条件と自動測定を行うための測定パラメータを格納する第１の記憶手段と、前記第１の記憶手段に格納された測定条件に基づき、前記携帯電話用インターフェースに接続された前記携帯電話機を発呼制御し、接続過程からその後の通話過程における通信状態と電波品質を測定する測定手段と、
この測定手段が測定した電波品質を、測定値として、前記自動検出部にて検出された前記移動体の現在位置情報と関連付けて格納する第２の記憶手段とを備え、
前記携帯電話機には、前記測定条件を無線にて受信する手段と、前記本体部の測定手段により発呼制御された結果得られた電波品質を前記本体部の前記携帯電話用インターフェースを介して前記測定手段に出力する手段と、
前記本体部の第２の記憶手段に格納された測定値を前記第１の記憶手段に格納された測定条件に基づき無線にて送信する手段とを備えることを特徴とする電波品質監視装置。
【請求項２】
前記移動体とは、タクシー、バス、トラック、鉄道、一般営業車など、他の目的を有する交通媒体のいずれか一つもしくはこれらの組み合わせであることを特徴とする請求項１に記載の電波品質監視装置。
【請求項３】
データ収集センターと、各地を往来する少なくとも１以上の移動体とを無線にて接続した携帯電話機の電波品質監視システムであって、前記データ収集センターには、携帯電話機の電波品質監視のための測定条件として、測定開始条件と測定値送信条件と測定パラメータを設定する測定条件設定手段と、この測定条件設定手段により設定された測定条件を、前記移動体に送信する測定条件送信手段と、この測定条件送信手段により送信された測定条件に基づいて測定した測定値を前記移動体から受信する手段とを有し、前記移動体には、現在位置を検出する自動検出部と、少なくとも１以上の携帯電話機と、この携帯電話機を介して前記データ収集センターの測定条件送信手段より前記測定条件を受信する手段と、この受信した測定条件を格納する第１の記憶手段と、この第１の記憶手段に格納した測定条件の測定開始条件及び測定パラメータに基づき、前記携帯電話機を発呼制御し接続過程からその後の通話過程における通信状態と電波品質を測定する測定手段と、この測定手段により測定した電波品質を、前記自動検出部にて検出された現在位置情報と関連付けて格納する第２の記憶手段と、 この第２の記憶手段に格納した測定値を、前記第１の記憶手段に格納されている測定条件の測定値送信条件に基づき、前記データ収集センターに送信する測定値送信手段を有することを特徴とする携帯電話機の電波品質監視システム。
【請求項４】
前記データ収集センターには、前記移動体から受信した測定値を収集し、解析する解析手段を有することを特徴とする請求項３に記載の携帯電話機の電波品質監視システム。
【請求項５】
前記移動体とは、タクシー、バス、トラック、鉄道、一般営業車など、他の目的を有する交通媒体のいずれか一つもしくはこれらの組み合わせであることを特徴とする請求項３乃至４に記載の携帯電話機の電波品質監視システム。
【請求項６】
広範囲にわたる領域内において、携帯電話機の電波品質を自動的に監視する方法であって、複数の移動体に、請求項１に記載の電波品質監視装置を搭載するステップと、前記各移動体に搭載された各電波品質監視装置に対し測定条件として測定開始条件と測定値送信条件と測定パラメータをデータ収集センターから前記電波品質監視装置に接続された携帯電話機を介して設定するステップと、前記電波品質監視装置を搭載した複数の移動体が各々移動を開始するステップと、前記電波品質監視装置が前記各測定開始条件に該当する値を検知したときに前記測定パラメータに基づいて測定を開始しかつ測定値を保存するステップと、この保存された測定値を、前記電波品質監視装置が前記各測定値送信条件に該当する値を検知したときに、前記携帯電話機を介して前記データ収集センターに送信するステップとを有し、前記データ収集センターに、前記複数の移動体に搭載された電波品質監視装置から受信した広範囲にわたる領域の測定値が自動的に収集蓄積されることを特徴とする携帯電話機の電波品質監視方法。
【請求項７】
前記移動体とは、タクシー、バス、トラック、鉄道、一般営業車など、他の目的を有する交通媒体のいずれか一つもしくはこれらの組み合わせであることを特徴とする請求項６に記載の携帯電話機の電波品質監視方法。
【発明の詳細な説明】
【０００１】
【発明が属する技術分野】
本発明は、携帯電話機の電波品質測定装置及び電波品質測定システム及び電波品質測定方法に関するものである。
【０００２】
【従来の技術】
ここ数年来の携帯電話機の普及は目覚しいものがある。この携帯電話機の通話状態は、通話エリア内に設置されたアンテナに対して、電波を良好に送受信できるかどうかで決定される。このため、各携帯電話サービス会社は、通話状態の改善を図るべく、通話エリア内の様々な環境下で、電波品質の測定調査を行っている。この電波品質の測定調査としては、従来、調査員が通話エリア内を携帯電話機を持ち歩き、適当な地点から携帯電話機で発呼し、その通信状態及び電波品質を、電話のかかり具合及び液晶画面の電波レベルにて確認し、地図上に記していくという方法で対応していた。
【０００３】
しかし、携帯電話機の加入者数の激増、建物の建築、取り壊しなどにより、その環境は日々変化している。このような状況下で、調査員の手作業による測定調査では、時間がかかる上、ミスも生じていた。また、環境の変化に対応して正確に現時点の電波品質を測定する為には、かなりの人数の調査員が必要となり、また、その後のデータの集計にも大変な労力がかかるものであった。
【０００４】
このような手作業による測定調査の改善策として、例えば、カーナビゲーションシステムと汎用型パソコンとを利用した車載型の電波品質測定装置が開発され、利用されている。この装置は、汎用型パソコンの制御でそこに接続した携帯電話機を発呼させ、かつそのときの通信状態（例えば発呼成功、正常切断、異常切断、話し中、圏外など）及び電波品質を測定し、その測定値をカーナビゲーションシステムで受信した地図上に記していくというものである。
【０００５】
この測定装置では、所定ポイントにおける電波品質の測定値が自動的に記録されていくこと、移動が自動車ごとなので行動範囲が広がることなどのメリットがあり、当初の測定調査方法に比べて格段に作業効率が向上するものとなった。しかし、この測定装置では、汎用型パソコンで携帯電話機の発呼制御及び測定をすることなどから、装置構成が大がかりとなっていた。また、特定の車に、必ず運転者とパソコンを操作する調査員とが乗らなければならず、かつ調査員は絶えず測定装置が正常に駆動しているか否かを確認する必要があった。また、測定条件等の変更があれば、その都度調査員がパソコンのキーボードから変更入力を行わなければならないものであった。さらに、広い領域を対象とするためには、結局並行して何台もの特定車及びかなりの人数の運転者、調査員が必要となるという問題があった。
【０００６】
【発明が解決しようとする課題】
本発明が解決しようとする課題は、何台もの特定車及び多数の運転者、調査員を必要とせず、自動的に携帯電話機の通信状態及び電波品質を観測する携帯電話機の電波品質測定装置及び電波品質測定システム及び電波品質測定方法を提供するものである。
【０００７】
【課題を解決するための手段】
上記目的を達成するために、請求項１に記載の電波品質監視装置は、移動体に搭載して使用する携帯電話機の電波品質監視装置において、本体部と、この本体部に接続される前記移動体の現在位置を検出する自動検出部と、前記本体部に接続される少なくとも１以上の携帯電話機とで構成され、  前記本体部には、前記携帯電話機に接続するための少なくとも１以上の携帯電話用インターフェースと、前記携帯電話機の電波品質を測定するために必要な測定条件として、自動測定を開始するための測定開始条件と、測定値を自動的に送信するための測定値送信条件と自動測定を行うための測定パラメータを格納する第１の記憶手段と、前記第１の記憶手段に格納された測定条件に基づき、前記携帯電話用インターフェースに接続された前記携帯電話機を発呼制御し、接続過程からその後の通話過程における通信状態と電波品質を測定する測定手段と、
この測定手段が測定した電波品質を、測定値として、前記自動検出部にて検出された前記移動体の現在位置情報と関連付けて格納する第２の記憶手段とを備え、
前記携帯電話機には、前記測定条件を無線にて受信する手段と、前記本体部の測定手段により発呼制御された結果得られた電波品質を前記本体部の前記携帯電話用インターフェースを介して前記測定手段に出力する手段と、
前記本体部の第２の記憶手段に格納された測定値を前記第１の記憶手段に格納された測定条件に基づき無線にて送信する手段とを備えることを特徴としている。
【０００８】
請求項２に記載の携帯電話機の電波品質監視装置は、請求項１に記載の携帯電話機の電波品質測定装置において、前記移動体とは、タクシー、バス、トラック、鉄道、一般営業車など、他の目的を有する交通媒体のいずれか一つもしくはこれらの組み合わせであることを特徴としている。
【０００９】
請求項３に記載の携帯電話機の電波品質監視システムは、データ収集センターと、各地を往来する少なくとも１以上の移動体とを無線にて接続した携帯電話機の電波品質監視システムであって、前記データ収集センターには、携帯電話機の電波品質監視のための測定条件として、測定開始条件と測定値送信条件と測定パラメータを設定する測定条件設定手段と、この測定条件設定手段により設定された測定条件を、前記移動体に送信する測定条件送信手段と、この測定条件送信手段により送信された測定条件に基づいて測定した測定値を前記移動体から受信する手段とを有し、前記移動体には、現在位置を検出する自動検出部と、少なくとも１以上の携帯電話機と、この携帯電話機を介して前記データ収集センターの測定条件送信手段より前記測定条件を受信する手段と、この受信した測定条件を格納する第１の記憶手段と、この第１の記憶手段に格納した測定条件の測定開始条件及び測定パラメータに基づき、前記携帯電話機を発呼制御し接続過程からその後の通話過程における通信状態と電波品質を測定する測定手段と、この測定手段により測定した電波品質を、前記自動検出部にて検出された現在位置情報と関連付けて格納する第２の記憶手段と、この第２の記憶手段に格納した測定値を、前記第１の記憶手段に格納されている測定条件の測定値送信条件に基づき、前記データ収集センターに送信する測定値送信手段を有することを特徴としている。
【００１０】
請求項４に記載の携帯電話機の電波品質監視システムは、請求項３に記載の携帯電話機の電波品質監視システムにおいて、前記データ収集センターには、前記移動体から受信した測定値を収集し、解析する解析手段を有することを特徴としている。
【００１１】
請求項５に記載の携帯電話機の電波品質監視システムは、請求項３または請求項４に記載の携帯電話機の電波品質監視システムにおいて、前記移動体とは、タクシー、バス、トラック、鉄道、一般営業車など、他の目的を有する交通媒体のいずれか一つもしくはこれらの組み合わせであることを特徴としている。
【００１２】
請求項６に記載の携帯電話機の電波品質監視方法は、広範囲にわたる領域内において、携帯電話機の電波品質を自動的に監視する方法であって、複数の移動体に、請求項１に記載の電波品質監視装置を搭載するステップと、前記各移動体に搭載された各電波品質監視装置に対し測定条件として測定開始条件と測定値送信条件と測定パラメータをデータ収集センターから前記電波品質監視装置に接続された携帯電話機を介して設定するステップと、前記電波品質監視装置を搭載した複数の移動体が各々移動を開始するステップと、前記電波品質監視装置が前記各測定開始条件に該当する値を検知したときに前記測定パラメータに基づいて測定を開始しかつ測定値を保存するステップと、この保存された測定値を、前記電波品質監視装置が前記各測定値送信条件に該当する値を検知したときに、前記携帯電話機を介して前記データ収集センターに送信するステップとを有し、前記データ収集センターに、前記複数の移動体に搭載された電波品質監視装置から受信した広範囲にわたる領域の測定値が自動的に収集蓄積されることを特徴としている。
【００１３】
請求項７に記載の携帯電話機の電波品質監視方法は、請求項６に記載の携帯電話機の電波品質監視方法において、前記移動体とは、タクシー、バス、トラック、鉄道、一般営業車など、他の目的を有する交通媒体のいずれか一つもしくはこれらの組み合わせであることを特徴としている。
【００１５】
【発明の実施の形態】
本発明の実施の形態を図１乃至図１４を用いて詳細に説明する。
【００１６】
【実施例】
図１は、本発明の実施の形態１に係る携帯電話機の電波品質測定装置の構成を示す図である。
【００１７】
図１に示すように、この電波品質測定装置４は、本体部１と、この本体部１に現在位置の自動検出化機構（例えばＧＰＳなど）２と、携帯電話機３が接続される。この携帯電話機３は、電波品質を測定する為のデータ採集用の携帯電話機であり、ＰＤＣ（Ｐｅｒｓｏｎａｌ  Ｄｉｇｉｔａｌ  Ｃｅｌｌｕｌａｒ）方式対応の携帯電話機もしくはＣＤＭＡ（Ｃｏｄｅ  Ｄｉｖｉｓｉｏｎ  Ｍｕｌｔｉｐｌｅ  Ａｃｃｅｓｓ）方式対応の携帯電話機のいずれかの携帯電話機が接続可能である。また、この携帯電話機３は、電波品質を測定する為の測定条件の設定を遠隔地に存在するデータ収集センター６の通信端末６２から受信する機能と、測定値をデータ収集センター６の通信端末６２へ送信する為のデータ通信端末の機能とを有する。さらに、本体部１には、充電用のコネクタ５が設けられている。
【００１８】
次に、本体部１には、図２に示すように、ＣＰＵを備える制御部１０と、測定条件及び測定値を格納するメモリ１１と、携帯電話機３が接続される携帯電話用インターフェース１２と、ＧＰＳ用インターフェース１３と、バッテリ電源１４とを備えている。携帯電話用インターフェース１２は、測定対象となる携帯電話機３の方式により、ＰＤＣ用もしくはＣＤＭＡ用となっており、それぞれの方式に従った信号変換を行って制御部と信号授受を行う。
【００１９】
制御部１０は、測定条件による発呼オンオフ動作指令に基づき、自動的に携帯電話機３に対して発呼・切断制御を行うとともに、通信状態を携帯電話機３から検出して、メモリ１１に測定ポイント及び測定時間に関連付けて記録させる。
【００２０】
メモリ１１には、データ収集センター６の通信端末６２から受信した測定条件及び、検出した測定値が格納される。このメモリ１１に格納された測定値は、測定条件による測定値送信条件に基づき、制御部１０が、携帯電話用インターフェース１２からデータ収集センター６の通信端末６２へ送信するようになっている。測定値を受信したデータ収集センター６のパソコン６１では、データの加工を行い、その結果、パソコン６１の画面には、例えば図１４に示すような測定結果が表示される。
【００２１】
図３及び図４は、データ収集センター６のパソコン６１にて行なう、各測定条件の設定・更新に関する図面である。図３は測定開始条件、測定値送信条件設定・更新用の画面表示例である。測定開始条件とは、例えば、時刻指定によるもの、ポイント指定によるもの、発呼指定によるものがある。測定開始条件を一定の時刻に設定すると、現在の時刻が、設定された測定開始時刻になったときに、測定が開始される。測定開始条件を一定のポイント指定に設定すると、ＧＰＳ２にて検出された現在位置データが、設定された測定開始ポイントに到達したときに、測定が開始される。測定開始条件を発呼指定に設定すると、データ収集センター６の通信端末６２からの発呼により測定が開始される。
【００２２】
測定値送信条件とは、メモリ１１に格納された測定値をデータ収集センター６の通信端末６２に送信するタイミングを設定するものであり、例えば、時刻指定によるもの、ポイント数指定によるもの、発呼指定によるもの、イベント指定によるものがある。測定値送信条件を、一定の時刻に設定すると、現在の時刻が設定された測定値送信時刻になったときにメモリ１１に格納された測定値が送信される。測定値送信条件を、最大ポイント数に設定すると、メモリ１１に格納されたポイント数が、この値に達したときに、メモリ１１に格納された測定値が送信される。測定値送信条件を、発呼指定に設定すると、データ収集センター６の通信端末６２からの発呼により、メモリ１１に格納された測定値が送信される。測定値送信条件を、イベント指定に設定すると、ある特定のイベントが発生したときに、メモリ１１に格納された測定値が送信される。イベントとは、例えば、異常な電波レベルの値を設定し、このレベルが続いた時点で送信する様に設定する場合などが考えられる。
【００２３】
なお、本実施の形態では便宜上、測定開始条件と測定値送信条件が各々１つの項目のみ設定された形で説明するが、各条件は各々複数設定が可能であり、またこれら相互の組合せを設定することも可能である。
【００２４】
図４は測定パラメータの設定・更新用の画面表示例である。測定パラメータには、例えば、発信番号の設定、計測時間、休み時間、繰返し回数、測定位置（緯度、経度）を設定する。発信番号とは、携帯電話機３から発呼する番号であり、例えば「１１７」等の測定に支障の発生しない番号を設定する。この発信番号は複数設定し、選択する事が可能である。計測時間とは、１回の通話時間を示すものであり、１０〜６０秒内の所定値を設定する。例えば「１０秒」に設定すると、１０秒間通話を行い、その後切断することになる。発信間隔とは、切断した後の待ち受け状態とする時間を示すものであり、１０〜３０秒内の所定値を設定する。例えば「１０秒」に設定すると、１０秒間の休み時間を取ることになる。
【００２５】
繰返し回数とは、通話時間及び休み時間の組合せを、何回繰り返して測定するかを設定するものであり、１〜５回内の所定値を設定する。例えば「３回」と設定すると、１０秒間通話後に切断し、その後１０秒間休み時間を取った後、１０秒間通話、切断、１０秒間休み、１０秒間通話、切断、１０秒間休み・・・の様に、３回繰り返される。測定位置（緯度、経度）とは、予め、指定の測定ポイントを設定するものであり、例えば緯度として「Ｎ３２／００／５６．０００１」、経度として「Ｅ１３１／２４／０７．００１」等を複数ポイント設定する。この様にすることにより、測定開始条件がポイント指定に設定されている場合は、ＧＰＳ２にて検出された現在位置データが、この緯度「Ｎ３２／００／５６．０００１」、経度「Ｅ１３１／２４／０７．００１」に該当したときに、その検出が測定開始条件となって、測定を開始することになる。この緯度、経度の設定は、直接数値を入力してもよいが、地図表示ボタン４３にて地図データを参照しながら設定するようにする事も可能である。
【００２６】
これらの測定条件の設定及び更新は、図３、図４の画面表示内の保存ボタン３１、４１及び設定送信ボタン３２、４２を押すことにより、データ収集センター６のパソコン６１に保存された後、通信端末６２から携帯電話機３に送信され、制御部１０によりメモリ１１に書き込まれる。これらの各設定及び変更は、電波品質測定装置４の電源スイッチがＯＮ状態でさえあれば、車にこの電波品質測定装置４を搭載する前、この電波品質測定装置４を搭載した後測定開始前、測定中、測定終了後のいつでも可能である。
【００２７】
次に、図５〜図１４を用いて、本実施の形態にかかる携帯電話機の電波品質測定システムの動作を説明する。なお、図５は、本発明の実施の形態にかかる携帯電話機の電波品質測定システムの処理手順を説明するフローチャートである。
【００２８】
図５において、ステップＳＴ１では、測定開始前の初期設定時において、データ収集センター６のパソコン６１にて、測定条件（測定開始条件、測定値送信条件、測定パラメータ）を設定する。この設定された測定条件は、データ収集センター６の通信端末６２を介して、携帯電話機３に送信され、制御部１０がメモリ１１に格納する。測定条件の意味及び設定方法は、前述の通りであり、ここでは、測定開始条件がポイント指定、測定値送信条件が時刻指定「００：００：００」であり、測定パラメータの発信番号が「１１７」、計測時間が「１０秒」、発信間隔が「１０秒」、繰返し回数が「３回」、測定位置（緯度、経度）には、指定の測定ポイントが２００設定されている場合について説明する。
【００２９】
この様にデータ収集センター６から初期設定された電波品質測定装置４は、図６に示すように予め契約されているタクシー会社の車６ａのトランクに搭載する。
【００３０】
タクシーの運転手は、電波品質測定装置４の電源スイッチがＯＮ状態になっていることを確認した後、自らの営業のために搭乗し、運転を開始する。車６ａは図７に示すように、乗車した客の行き先に応じて各所に移動する。この移動に伴い、ＧＰＳ２は、現在位置データを絶えず制御部１０に出力する。
【００３１】
ステップＳＴ２では、制御部１０が、現在位置データもしくは現在時刻が、メモリ１１に格納されている測定開始条件に該当するか否か、あるいは測定開始条件がデータ収集センター６の通信端末６２からの発呼に設定されている場合に、その発呼の有無を監視する。この場合、測定開始条件は、ポイント指定である為、車６ａが第１の測定ポイントである緯度「Ｎ３２／００／５６．０００１」、経度「Ｅ１３１／２４／０７．００１」に移動したときに、ＳＴ３に進む。
【００３２】
ステップＳＴ３では、制御部１０は、メモリ１１から測定パラメータを取り出し、携帯電話機３について、発信・休止を指定回数繰り返し行い、各所に設置された携帯電話機用アンテナ７１との間の通話品質を測定する。この場合、発信１０秒、休止１０秒を３回繰り返す。
【００３３】
ステップＳＴ４では、制御部１０は、測定結果をメモリ１１に保存する。メモリ１１には、ポイントにおける発信、切断、網接続、中断、受信データの取得までの一連の経過が保存される。例えば、発信では、「ＣＴＭ、時刻」「ＳＮＤ、発信番号」が保存される。切断では、「ＤＴＭ、時刻」が保存される。網接続では、「ＯＮＬ、時刻」が保存される。中断では、「ＳＴＰ、手動中断」が保存される。受信データでは、「ＬＶＬ、受信レベル」「ＲＳＮ、理由表示値ＣＣ」「ＲＳＮ、理由表示値ＲＴ」「ＲＳＮ、理由表示値ＭＭ」「ＥＬＳ、［ＨｅｘＤａｔａ］、その他の情報」が保存される。
【００３４】
メモリ１１への保存内容の具体例を示すと次のようになる。測定ポイントとして「ＰＤＣ１、００１、Ｎ３２／００／５６．０００１、Ｅ１３１／２４／０７．００１」、発信として「ＣＴＭ、０００８０」「ＳＮＤ、１１７」、受信データとして「ＥＬＳ、［Ｄ１］１２」「ＬＶＬ、−８３ｄＢｍ以上」「ＥＬＳ、［２１］、発信音」が保存される。また、その後、受信データとして「ＥＬＳ、［３５］２６２００００００１、」「ＯＮＬ、網接続」「ＥＬＳ、［６Ａ］、」「ＬＶＬ、＊−８３ｄＢｍ以上」が保存される。さらに、その後、受信データとして「ＬＶＬ、＊−８３ｄＢｍ以上」「ＬＶＬ、＊−８３ｄＢｍ以上」「ＤＴＭ、００００８０」「ＬＶＬ、＊−８３ｄＢｍ以上」が保存される。
【００３５】
次に、ステップＳＴ５では、制御部１０は、測定値送信条件に該当するか否かを判断する。測定値送信条件に該当する場合は、ステップＳＴ６に進む。測定値送信条件に該当しない場合は、ステップＳＴ２に戻り、次の測定開始条件に該当するか否か監視を行い、該当する場合は、さらに携帯電話機３について電波品質の測定を行い、メモリ１１に保存していく。
【００３６】
ステップＳＴ６では、制御部１０は、メモリ１１に保存されている測定値を携帯電話機３から、データ収集センター６の通信端末６２に送信し、メモリ１１に保存されていた測定値を削除する。この場合、測定値送信条件が時刻指定「００：００：００」である為、現在時刻が００：００：００になった時点で測定値を送信する。
【００３７】
ステップＳＴ７では、データ収集センター６からの測定条件変更があるか否かを監視する。測定条件変更がある場合は、ステップＳＴ８に進む。測定条件変更がない場合は、ステップＳＴ２に戻り、次の測定開始条件に該当するか否かの監視を行い、該当する場合は、さらに携帯電話機３について電波品質の測定を行い、メモリ１１に保存していく。
【００３８】
ステップＳＴ８では、制御部１０は、変更された測定条件を受信し、メモリ１１に保存されていた測定条件に上書き保存し、ステップＳＴ２に戻り、変更された測定開始条件にて監視、測定を行っていく。
【００３９】
このようにして、契約したタクシー会社の保有する全ての車から、測定値がデータ収集センター６に送信され、蓄積される。この蓄積された測定値は、データ収集センター６のパソコン６１が搭載する解析プログラムにより解析される。例えば図１４に示すように、パソコン画面に、調査ポイントが示された緯度・経度表示もしくは地図表示と、携帯電話機３の測定データの表示欄、さらに、画面の下端部に表示されている、「統計データ」「グラフ表示（ＲＳＳＩ）」「グラフ表示（成功率）」「グラフ表示（アクセスタイム）」の各ボタンを操作することにより、左端に示されるように、地域単位での比較統計グラフが表示できるようになっている。
【００４０】
本実施の形態では、タクシー会社の保有する車に電波品質測定装置４を搭載した場合について説明したが、図７、図８に示すようにタクシー会社だけではなく、宅配を行う運送会社の運送トラック８１、路線バス会社のバス８２、営業所の営業マンが乗用する車８３、保守サービスセンターの保守員が乗用する車８４等に予め電波品質測定装置４を搭載して電波品質測定を行うことも可能であり、さらに図９に示すように、小型化することによって人間に所持させることも可能である。これらの複数の移動体からの測定値を統合することにより、より広範囲な測定調査が特定車や調査員を必要とせず自動的に行う事が可能となる。
【００４１】
また、路線バス等に常時搭載することにより、定期的な測定調査が可能となる為、同じ場所における違う時間帯での測定調査、同じ場所における同じ時間帯の違う曜日での調査など、細かい測定調査分析が可能となる。
【００４２】
図１０は、本発明の実施の形態２に係る携帯電話機の電波品質測定装置の構成を示す図である。図１０に示すように、実施の形態２における電波品質測定装置４は、本体部１と、この本体部１に現在位置の自動検出化機構（例えばＧＰＳなど）２と、携帯電話機３ａ〜３ｅが複数台接続される。携帯電話機３ｅは、電波品質を測定する為の測定条件の設定を遠隔地に存在するデータ収集センター６の通信端末６２から受信し、測定値をデータ収集センター６の通信端末６２へ送信する為のデータ通信端末である。携帯電話機３ａ〜３ｄは、電波品質を測定する為のデータ採集用の携帯電話機であり、例えば、３ａ〜３ｃはＰＤＣ方式対応の携帯電話機、３ｄはＣＤＭＡ方式対応の携帯電話機の様に、異なった事業者の携帯電話機が複数台接続可能としている。
【００４３】
次に、本体部１には、図１１に示すように、ＣＰＵを備える制御部１０と、測定値を格納するメモリ１１と、携帯電話機３ａ〜３ｅが接続される５つの携帯電話機用インターフェース１２ａ〜１２ｅと、ＧＰＳ用インターフェース１３と、バッテリ電源１４とを備えている。データ採集用の携帯電話機３ａ〜３ｄに対応する携帯電話機用インターフェース１２ａ〜１２ｄのうち、１２ａ〜１２ｃは、ＰＤＣ用、１２ｄはＣＤＭＡ用となっており、それぞれの方式に従った信号変換を行って制御部１０と信号授受を行う。この様に構成することにより、異なった事業者の携帯電話機を複数台一度に測定調査が可能となる。
【００４４】
なお、本発明の実施の形態３として、図１２、図１３に示すように、電波品質を測定する為のデータ採集用の携帯電話機３ａ〜３ｄのうちの一つである３ｄを、本発明の実施の形態１の様に、データ採集用と、測定条件の受信及び測定値の送信を行う為のデータ通信との両方を機能させるようにすることも可能である。
【００４５】
また、本実施の形態１乃至３においては、本体部１と自動検出化機構（例えばＧＰＳなど）２が分離した構成にて説明したが、この自動検出化機構２は本体部１に内蔵することも可能である。また、自動検出化機構２を内臓する携帯電話機３で構成すれば、自動検出化機構は不要となる。
【００４６】
【発明の効果】
以上説明したように本発明の携帯電話機の電波品質測定装置及び電波品質測定システム及び電波品質測定方法は、特定車及び調査員の派遣をしなくても、従来より全国各地を頻繁に行き来している交通手段、例えば、タクシー、トラック、バス、一般営業車や、人間等の移動体に、本発明の電波品質測定装置４を搭載することにより、これらの移動体は、電波品質測定を全く意識せずに自らの目的に基づいて移動するだけで、自動的に広範囲にわたる領域の携帯電話機の電波品質測定を行い、測定値の収集分析を行なうことが可能となる。
【図面の簡単な説明】
【図１】本発明の実施の形態１の構成を示した説明図である。
【図２】本発明の実施の形態１の本体部の構成を示した図である。
【図３】本発明の画面表示例である。
【図４】本発明の画面表示例である。
【図５】本発明の実施の形態に係る携帯電話機の電波品質測定システムの処理手順を説明するフローチャートである。
【図６】本発明の実施の形態を示した図である。
【図７】本発明の実施の形態を示した図である。
【図８】本発明の実施の形態を示した図である。
【図９】本発明の実施の形態を示した図である。
【図１０】本発明の実施の形態２の構成を示した図である。
【図１１】本発明の実施の形態２の本体部の構成を示した図である。
【図１２】本発明の実施の形態３の構成を示した図である。
【図１３】本発明の実施の形態３の本体部の構成を示した図である。
【図１４】本発明の画面表示例である。
【符号の説明】
１    本体部
１０  制御部
１１  メモリ
１２  携帯電話用インターフェース
１３  ＧＰＳ用インターフェース
１４  バッテリ電源
２    ＧＰＳ
３、３ａ〜３ｅ    携帯電話機
４    電波品質測定装置
５    充電用のコネクタ
６    データ収集センター
６１  パソコン
６２  通信端末
７１  アンテナ
【図１】
0003590595.tif 000002
【図２】
0003590595.tif 000003
【図３】
0003590595.tif 000004
【図４】
0003590595.tif 000005
【図５】
0003590595.tif 000006
【図６】
0003590595.tif 000007
【図７】
0003590595.tif 000008
【図８】
0003590595.tif 000009
【図９】
0003590595.tif 000010
【図１０】
0003590595.tif 000011
【図１１】
0003590595.tif 000012
【図１２】
0003590595.tif 000013
【図１３】
0003590595.tif 000014
【図１４】
0003590595.tif 000015